(57)【要約】【課題】大型スクリーンに表示されている手元の操作監視ステーション以外の操作監視ステーションに対しても操作を行うことができるように改善する。【解決手段】通信ネットワークに接続された複数台の操作監視ステーションのプロセス制御画面を大型スクリーン上にウィンドウ表示するプロセス制御システムにおいて、前記大型スクリーン上のウィンドウを操作するマスター・カーソルを制御するカーソル手段を備えるマスター・ステーションを有し、前記操作監視ステーションは、前記大型スクリーン上の当該操作監視ステーションに対応するプロセス制御画面のウィンドウを操作する個別カーソルを制御するカーソル手段及び前記個別カーソルを前記マスター・カーソルへと変換指示するマスター・カーソル宣言手段を有することを特徴とするプロセス制御システム。【選択図】　　　　図１
2004126962.tif 000002
【特許請求の範囲】
【請求項１】
通信ネットワークに接続された複数台の操作監視ステーションのプロセス制御画面を大型スクリーン上にウィンドウ表示するプロセス制御システムにおいて、前記大型スクリーン上のウィンドウを操作するマスター・カーソルを制御するカーソル手段を備えるマスター・ステーションを有し、前記操作監視ステーションは、前記大型スクリーン上の当該操作監視ステーションに対応するプロセス制御画面のウィンドウを操作する個別カーソルを制御するカーソル手段及び前記個別カーソルを前記マスター・カーソルへと変換指示するマスター・カーソル宣言手段を有することを特徴とするプロセス制御システム。
【請求項２】
前記操作監視ステーション及び／または前記マスター・ステーションは、ディスプレイ装置を備えていないことを特徴とする請求項１記載のプロセス制御システム。
【請求項３】
前記マスター・ステーションの前記カーソル手段は、他の前記操作監視ステーションの前記個別カーソルが前記マスター・カーソルになり代わっているときに前記マスター・ステーション上で前記マスター・カーソルの制御権を取り戻す手段を備えることを特徴とする請求項１または請求項２記載のプロセス制御システム。
【請求項４】
前記マスター・ステーション及び／または前記操作監視ステーションは、ディスプレイ装置を有しバックアップ動作を行うバックアップ・ステーションを備えることを特徴とする請求項１、請求項２または請求項３のいずれに記載のプロセス制御システム。
【発明の詳細な説明】
【０００１】
【発明の属する技術分野】
本発明は、鉄鋼プロセス、化学プロセス、食品プロセス等の各種プロセスに設置されるプロセス制御システムに関し、特に、複数台の操作監視ステーションのディスプレイ画面を大型スクリーンに表示して操作監視を支援するプロセス制御システムに関するものである。
【０００２】
【従来の技術】
従来から、ネットワーク接続のパーソナル・コンピュータ等の小型ディスプレイを複数台分散配置するとともに、大型のスクリーンを少なくとも１台設置し、小型ディスプレイの表示画像を大型のスクリーンに表示するような技術はよく知られている（例えば、特許文献１参照）。
【０００３】
【特許文献１】
特開平９−１６３６７号公報
【０００４】
更に、鉄鋼、化学、食品等に係る各種プロセス制御の分野にあっても、中央監視センター等にこのようなシステムが採用され、複数台の操作監視ステーションのディスプレイとともに大型のスクリーンを設置してプロセス制御システムを構築する場合も多い。
【０００５】
このようなプロセス制御システムにあって、オペレータは、手元にある操作監視ステーションのディスプレイを見て操作を行うとともに、別の場所に設置してある操作監視ステーションのディスプレイを大型のスクリーンで確認できるという利点がある。
【０００６】
また、最近では、大型スクリーン上で、複数台のディスプレイのそれぞれの画像を複数のウィンドウで表示するような技術も現われ始め、大型スクリーンを採用するシステムも多く現れてきている（例えば、非特許文献１参照）。
【０００７】
【非特許文献１】
株式会社ヨネイ、２００１年９月発行カタログ、「インタラクティブ
ネットワーク　インフォメーション　マルチスクリーン　システム」
【０００８】
【発明が解決しようとする課題】
しかしながら、オペレータは手元の操作監視ステーションを意のままに操作することはできるが、大型スクリーンに表示されている別の場所に設置されている操作監視ステーションに対しては、ディスプレイを見るだけで操作を行うことはできなかった。
【０００９】
このため、大型スクリーンに表示されている遠隔にある操作監視ステーション側で異常が発生している場合でも、これを発見したオペレータは、電話連絡等によって対応する操作監視ステーション側に伝える以外なく、このような異常の復旧、対処に時間を要するという問題があった。
【００１０】
更には、近くに設置されている数台の操作監視ステーションのディスプレイを交互に切換えて大型スクリーンに表示するシステムもあるが、オペレータは、自分の手元にある操作監視ステーションのディスプレイが大型スクリーンに表示されても無意味であり、他の操作監視ステーションの表示だけに関心があるという場合もある。
【００１１】
本発明は、このような問題を解決するものであり、大型スクリーンに表示されている手元の操作監視ステーション以外の操作監視ステーションに対しても操作を行うことができるように改善することを目的とする。
【００１２】
【課題を解決するための手段】
上記の課題を解決した本発明は、次の通りである
（１）通信ネットワークに接続された複数台の操作監視ステーションのプロセス制御画面を大型スクリーン上にウィンドウ表示するプロセス制御システムにおいて、前記大型スクリーン上のウィンドウを操作するマスター・カーソルを制御するカーソル手段を備えるマスター・ステーションを有し、前記操作監視ステーションは、前記大型スクリーン上の当該操作監視ステーションに対応するプロセス制御画面のウィンドウを操作する個別カーソルを制御するカーソル手段及び前記個別カーソルを前記マスター・カーソルへと変換指示するマスター・カーソル宣言手段を有することを特徴とするプロセス制御システム。
（２）前記操作監視ステーション及び／または前記マスター・ステーションは、ディスプレイ装置を備えていないことを特徴とする（１）記載のプロセス制御システム。
（３）前記マスター・ステーションの前記カーソル手段は、他の前記操作監視ステーションの前記個別カーソルが前記マスター・カーソルになり代わっているときに前記マスター・ステーション上で前記マスター・カーソルの制御権を取り戻す手段を備えることを特徴とする（１）または（２）記載のプロセス制御システム。
（４）前記マスター・ステーション及び／または前記操作監視ステーションは、ディスプレイ装置を有しバックアップ動作を行うバックアップ・ステーションを備えることを特徴とする（１）、（２）または（３）のいずれに記載のプロセス制御システム。
【００１３】
【発明の実施の形態】
以下、本発明の実施例について図面を用いて説明する。
図１は、本発明のプロセス制御システムの構成ブロック図であり、システム全体を概念的に表わす図である。
【００１４】
この図において、第１ステーションＳ１、第２ステーションＳ２、マスター・ステーションＭＳは、通常のプロセス制御システムに適用される操作監視ステーションであり、専用の通信ネットワークＶに接続される。
【００１５】
これらの第１ステーションＳ１、第２ステーションＳ２、マスター・ステーションＭＳは、その内部に少なくとも中央処理装置、記憶装置を備えるとともに、キーボード、タッチパッド等の入力装置、プリンタ等の出力装置を備えるが、一般的に設置されるディスプレイ装置を備えていず、その代わりに、汎用の通信ネットワークＥを介して大型スクリーン１０を備える。
【００１６】
この大型スクリーン１０は、マスター・ステーションＭＳにおけるオペレータの操作により、各ステーションＳ１，Ｓ２，ＭＳに表示されるべきプロセス制御画面がそれぞれウィンドウＷ１，Ｗ２，ＷＭに表示される。
【００１７】
この例では、第１ステーションＳ１に表示されるべきプロセス制御画面＜Ａ＞は大型スクリーン１０のウィンドウＷ１に、第２ステーションＳ２に表示されるべきプロセス制御画面［Ｂ］は大型スクリーン１０のウィンドウＷ２に、マスター・ステーションＭＳに表示されるべきプロセス制御画面｛Ｍ｝は大型スクリーン１０のウィンドウＷＭに表示される。
【００１８】
このように、１台の大型スクリーン１０のウィンドウＷ１，Ｗ２，ＷＭに、第１ステーションＳ１のディスプレイ表示＜Ａ＞、第２ステーションＳ２のディスプレイ表示［Ｂ］、マスター・ステーションＭＳのディスプレイ表示｛Ｍ｝をウィンドウ表示するので、それぞれのステーションＳ１，Ｓ２，ＭＳには、通常設置されるディスプレイ装置は不要となる。
【００１９】
また、大型スクリーン１０には、通常のウィンドウ画面にあるように、画面最上部に処理バーＢが表示され、各種の処理ボタン（図示せず）が設定される。更に、これらの処理バーＢ、各種の処理ボタンを操作するマスター・カーソルＣＭが設定、表示され、このマスター・カーソルＣＭは、マスター・ステーションＭＳに設置されるカーソル手段ＭＳＣ（キーボード等）により操作される。
【００２０】
尚また、ウィンドウＷ１内には個別カーソルＣＡが設定、表示され、この個別カーソルＣＡは第１ステーションＳ１に設置されるカーソル手段Ｓ１１（キーボード等）により操作される。同様に、ウィンドウＷ２内には個別カーソルＣＢが設定、表示され、この個別カーソルＣＢは第２ステーションＳ２に設置されるカーソル手段Ｓ２１（キーボード等）により操作される。
【００２１】
ところで、マスター・ステーションＭＳ上で操作されるマスター・カーソルＣＭは、大型スクリーン１０上の画面内のツール・バーＢにかかる処理、ウィンドウＷＭ内の各種処理、ウィンドウＷ１，Ｗ２のウィンドウ操作（ウィンドウの移動、縮小、アイコン化等）を処理するためのものである。
【００２２】
一方、ウィンドウＷ１内の個別カーソルＣＡは、ウィンドウＷ１内の各種の処理をするためのものであり、ウィンドウＷ２内の個別カーソルＣＢは、ウィンドウＷ２内の各種の処理をするためのものである。
【００２３】
ここで、マスター・カーソルＣＭは、マスター・ステーションＭＳにおけるカーソル手段ＭＳＣの操作により、大型スクリーン１０からウィンドウＷ１内部に個別カーソルＣＭＡとして入り込む。
【００２４】
これにより、マスター・ステーションＭＳ上で個別カーソルＣＭＡを操作することによりウィンドウＷ１内の処理を実行することができ、マスター・ステーションＭＳが第１ステーションＳ１になり代わって第１ステーションＳ１で実行すべき処理を進めることができる。
【００２５】
また、同様にして、マスター・カーソルＣＭは、マスター・ステーションＭＳにおけるカーソル手段ＭＳＣの操作により、ウィンドウＷ２内部に個別カーソルＣＭＢとして入り込み、マスター・ステーションＭＳ上で個別カーソルＣＭＢを操作することにより、ウィンドウＷ２内の処理を実行することができる。
【００２６】
これにより、マスター・ステーションＭＳが第２ステーションＳ１になり代わって処理を進めることができる。
【００２７】
更に、個別カーソルＣＡは、第１ステーションＳ１のマスター・カーソル宣言手段Ｓ１２（キーボード等のカーソル手段Ｓ１１上に設定されるキー等でよい）を操作することにより変換指示され、ウィンドウＷ１内部から大型スクリーン１０に、この大型スクリーン１０にかかるウィンドウ操作を行うマスター・カーソルＣＡ’として設定される。
【００２８】
これにより、第１ステーションＳ１上で大型スクリーン１０内の処理を実行することができ、第１ステーションＳ１がマスター・ステーションＭＳになり代わってマスター・ステーションＭＳで実行すべき処理を進めることができる。
【００２９】
また、個別カーソルＣＢは、、第２ステーションＳ２のマスター・カーソル宣言手段Ｓ２２（キーボード等のカーソル手段Ｓ２１上に設定されるキー等でよい）を操作することにより変換指示され、ウィンドウＷ１内部から大型スクリーン１０に、この大型スクリーン１０にかかるウィンドウ操作を行う個別カーソルＣＢ’として設定される。
【００３０】
これにより、第２ステーションＳ２上で大型スクリーン１０内の処理を実行することができ、第２ステーションＳ２がマスター・ステーションＭＳになり代わってマスター・ステーションＭＳで実行すべき処理を進めることができる。
【００３１】
また、マスター・ステーションＭＳにおけるカーソル手段ＭＳＣは、他の操作監視ステーションＳ１，Ｓ２の個別カーソルＣＡ，ＣＢがマスター・カーソルＣＡ’，ＣＢ’になり代わっているときに、マスター・ステーションＭＳ上でマスター・カーソルＣＭの制御権を取り戻す機能を内蔵する。
【００３２】
このような構成により、１台の大型スクリーン１０だけによるプロセス制御のオペレーションが可能となり、第１ステーションＳ１、第２ステーションＳ２、マスター・ステーションＭＳのそれぞれの操作監視ステーションにディスプレイ装置を設置しなくても所定のプロセス制御を実行することができる。
【００３３】
このようにして、大型スクリーン１０に表示されている遠隔にある操作監視ステーション、例えば、第２ステーションＳ２で異常が発生している場合でも、これを発見した第１ステーションＳ１のオペレータは、マスター・カーソル宣言手段Ｓ１２により、マスター・カーソルＣＡ’を操作できるようになり、第２ステーションＳ２にかかるウィンドウＳ２内にマスター・カーソルＣＭＢとして入り込むことができ、第２ステーションＳ２の操作を可能とすることができる。
【００３４】
尚、上記したような、マスター・カーソル、個別カーソルのなり代わり、制御権の移動等を実現する、具体的な詳細構成は、主としてソフトウェア・プログラムによるところが大きく、ここでは、詳しい説明は省略する。
【００３５】
また、本発明にあっては、第１ステーションＳ１が故障した場合に備え、第１バックアップ・ステーションＳＢ１を設置し、更に、大型スクリーン１０が故障した場合に備え、第１ステーションＳ１の表示すべき画面を表示するバックアップのための小型ディスプレイＤ１を備える。
【００３６】
同様に、第２ステーションＳ２が故障した場合に備え、第２バックアップ・ステーションＳＢ２を設置し、大型スクリーン１０が故障した場合に備え、第２ステーションＳ２の表示すべき画面を表示するバックアップのための小型ディスプレイＤ２を備える。
【００３７】
従って、大型スクリーン１０が故障して表示不能となった場合でも、バックアップ用の小型ディスプレイＤ１または小型ディスプレイＤ２が稼動するので、連続的に制御動作を実行しなければならないプロセス制御分野にあっても、表示かつ制御動作を連続的に続行することができる。
【００３８】
【発明の効果】
本発明によれば、以下のような効果を得ることができる。
大型スクリーンに表示されている、手元の操作監視ステーション以外の操作監視ステーションに対しても操作を行うことができる。
【００３９】
また、大型スクリーンが故障した場合であっても、バックアップのための小型ディスプレイが備えられているので、プロセス制御動作を中断することなく、制御動作の続行を可能とする。
【図面の簡単な説明】
【図１】本発明のプロセス制御システムを表わす構成ブロック図である。
【符号の説明】
Ｓ１　第１ステーション
Ｓ２　第２ステーション
ＭＳ　マスター・ステーション
１０　大型スクリーン
Ｅ　通信ネットワーク
Ｖ　通信ネットワーク
ＳＢ１　第１バックアップ・ステーション
ＳＢ２　第２バックアップ・ステーション
Ｄ１，Ｄ２　小型ディスプレイ
【図１】
2004126962.tif 000003